(57)【要約】      （修正有）【課題】収納する物の大きさに応じて収納スペースを区切ることができ、しかも小物を取り出しやすい状態に効率よく収納できる収納部材を提供する。【解決手段】収納ケース５の収納空間Ｓ内を間仕切ることのできる移動可能な仕切板７、および仕切板７に小物収納用の箱状トレイ８を一体化させてたもの、あるいは仕切板７に筒状トレイ９を一体化させたもの等を用いて、収納空間を収容物の大きさに応じて区切り、小物も効率よく収納する。【選択図】図３
2013094507.tif 000002
【特許請求の範囲】
【請求項１】
収納空間内を間仕切ることのできる移動可能な仕切板に、小物収納用のトレイを一体化させたことを特徴とする収納部材。
【請求項２】
前記仕切板の左右に略水平に張り出して箱状のトレイを形成させたことを特徴とする請求項１に記載の収納部材。
【請求項３】
前記仕切板の一部を左右側へ膨出させて縦長筒状のトレイを形成させたことを特徴とする請求項１に記載の収納部材。
【発明の詳細な説明】
【技術分野】
【０００１】
本発明は、収納部材に関するものである。
【背景技術】
【０００２】
従来、特許文献１に開示されているように、収納トレイ上に、水平方向にスライド自在な上部トレイが配置された厨房家具が存在する。
【先行技術文献】
【特許文献】
【０００３】
【特許文献１】特開２００４−２９８４２１号公報
【発明の概要】
【発明が解決しようとする課題】
【０００４】
上記特許文献１に開示されている構造では、収納する物の大きさに応じて収納スペースを区切ることはできないものであり、また、小物を取り出しやすい状態に効率よく収納することが困難なものであった。
【課題を解決するための手段】
【０００５】
本発明は、収納する物の大きさに応じて収納スペースを区切ることができ、小物を取り出しやすい状態に効率よく収納できる収納部材の提供を目的とし、この目的の少なくとも一部を達成するために以下の手段を採った。
本発明の収納部材は、収納空間内を間仕切ることのできる移動可能な仕切板に、小物収納用のトレイを一体化させたことを要旨とする。
【発明の効果】
【０００６】
仕切板を移動させて、収納空間を収納物の大きさに応じて良好に区切ることができ、また、仕切板にはトレイが一体化されているため、このトレイに小物を収納することができ、小物等を取り出しやすい状態に効率よく収納できるものとなる。
【０００７】
また、本発明の収納部材において、前記仕切板の左右に略水平に張り出して箱状のトレイを形成させたものとすることもできる。
こうすれば、仕切板の左右に形成されている箱状のトレイ内に、ヘアピン等の小物を散らばることなく収納させることができ、また、収納した小物が取り出しやすいものとなる。
【０００８】
また、本発明の収納部材において、前記仕切板の一部を左右側へ膨出させて縦長筒状のトレイを形成させたものとすることもできる。
こうすれば、縦長筒状のトレイ内には綿棒等の小物を効率よく収納することができ、また、綿棒等を取り出しやすい状態に収納できるものとなる。
【図面の簡単な説明】
【０００９】
【図１】洗面化粧台の斜視構成図である。
【図２】図１の洗面化粧台の収納棚内に配置される収納ケースの斜視構成図である。
【図３】収納ケース内に仕切板および仕切板に一体化したトレイを取り付けた状態の斜視構成図である。
【図４】図３の平面構成図である。
【図５】仕切板の斜視構成図である。
【図６】箱状トレイを一体化した仕切板の背面側から見た斜視構成図である。
【図７】図６の平面図である。
【図８】図６の背面図である。
【図９】筒状トレイを一体化した仕切板の背面側から見た斜視構成図である。
【図１０】図９の平面構成図である。
【発明を実施するための形態】
【００１０】
次に、本発明を実施するための形態を実施例を用いて説明する。
図１は、洗面化粧台の斜視構成図であり、洗面化粧台１は、洗面キャビネット２の上面に洗面器２ａが設けられており、洗面器２ａ上にミラーキャビネット３が立設され、ミラーキャビネット３の前面には開閉可能に鏡扉３ａが設けられている。このミラーキャビネット３の下端側に別体で収納棚４が設けられており、この収納棚４は前面側に開閉可能な開閉扉４ａが設けられている。
【００１１】
この収納棚４内には、図２の斜視図で示すような収納ケース５を入れて、この収納ケース５内に、洗面や化粧に必要な小物類を収納させておくことができるものである。即ち、収納ケース５は、底板部５ａの前側に前板部５ｂが立ち上がり、底板部５ａの背側には背板部５ｃが立ち上がり、底板部５ａの左右側には側板部５ｄ，５ｄが一体状に立ち上げ形成されて、上面が開放された収納空間Ｓが内部に形成されている。
この収納ケース５には、前板部５ｂの内側に縦長スリット状の前側溝６ａ，６ａ，６ａが左右方向に間隔をおいて形成されており、また、背板部５ｃにも、前側溝６ａ，６ａ，６ａと対向状に複数の縦長スリット状の背側溝６ｂ，６ｂ，６ｂが左右方向に間隔をおいて形成されている。
【００１２】
この収納ケース５の一対の前側溝６ａと背側溝６ｂ間に仕切板７を差し込んで、仕切板７により収納ケース５の収納空間Ｓ内を間仕切ることができる。
なお、仕切板７を移動させて任意の位置の前側溝６ａ，背側溝６ｂ間に差し込むことで、収納する物の大きさに応じて収納空間Ｓ内を良好に区切ることができ、収納空間Ｓ内に収納物を散らかることなく効率よく収納できるものとなる。
【００１３】
即ち、仕切板７は、図５の斜視図で示すような形状となっており、前縁７ａおよび後縁７ｂが立ち上げ形成されて、上縁７ｃはほぼ水平状に形成され、上縁７ｃから前縁７ａに向かって湾曲状に下傾する湾曲下傾部７ｄが形成されている。
この仕切板７の前縁７ａを収納ケース５の前側溝６ａに上方側から差し込み、また、後縁７ｂを収納ケース５の背側溝６ｂに上方から差し込んで、良好に仕切板７を収納ケース５の収納空間Ｓ内に取り付け固定することができる。
【００１４】
なお、図６の斜視図で、図７の平面図で、図８の背面図で示すように、仕切板７に、箱状トレイ８を一体化させて形成しておくことができる。
即ち、図６，図７，図８に示す箱状トレイ８は、仕切板７の左右に略水平に張り出して左底部８ａと右底部８ｂを一体形成し、左底部８ａおよび右底部８ｂの外周に、上方へ立ち上げて外周立上枠部８ｃを一体形成し、さらに、左底部８ａと右底部８ｂから垂下状にそれぞれ脚部８ｄ，８ｄを一体形成したものであり、外周立上枠部８ｃの内側は上面側が開放された収納部となって、左底部８ａ上および右底部８ｂ上にそれぞれ小物等を入れることができる。
【００１５】
例えばヘアピン等の小物を散らかることなく効率よく箱状トレイ８内に収納しておくことができる。しかも仕切板７と一体化されているため、仕切板７を前側溝６ａ，背側溝６ｂから抜き取って左右方向の別の位置に移動させることもでき、箱状トレイ８内に収納されるヘアピン等を取り出しやすい位置に配置させることができて、洗面化粧台１の鏡を見ながら化粧を行う際に、収納棚４の開閉扉４ａを開けると、直ぐにこの箱状トレイ８が露出するため、箱状トレイ８内のヘアピン等を容易に取り出すことができ、取り出しやすく、使用勝手が良好なものとなる。
【００１６】
次に、図９の斜視図で、また図１０の平面図で示すものは、仕切板７に、縦長筒状の筒状トレイ９を一体形成させたものである。
即ち、図９および図１０において、仕切板７の一部を左右側へ膨出させ、円筒壁部９ａ，９ａを左右側に形成させて、縦長円筒状の筒状トレイ９を仕切板７に一体形成させることができ、筒状トレイ９は上面側が開放されて、例えば綿棒等をこの筒状トレイ９内に入れておくことができるものである。
【００１７】
この筒状トレイ９を一体化した仕切板７においても、図３および図４の平面図で示すように、仕切板７の前縁７ａを収納ケース５の前側溝６ａ内に差し込み、仕切板７の後縁７ｂを収納ケース５の背側溝６ｂに差し込むことにより、筒状トレイ９を一体化した仕切板７を収納ケース５の収納空間Ｓ内に取り付けておくことができる。
また、仕切板７を左右方向に移動させて任意の前側溝６ａ，背側溝６ｂに差し込み固定することができ、移動させることで収納空間Ｓ内に収納される物の大きさに応じて収納空間Ｓを良好に区切ることができるとともに、綿棒等を取り出しやすい位置に配置させることができるものである。
【００１８】
このような筒状トレイ９内に綿棒を入れて収納しておくことにより、洗面化粧台１の前に立って化粧等を行う際に、手を下側へ伸ばすだけで、良好に筒状トレイ９から綿棒を取り出して使用することができ、取り出しやすく、使用勝手が良好なものとなる。
【符号の説明】
【００１９】
１  洗面化粧台
３  ミラーキャビネット
４  収納棚
４ａ  開閉扉
５  収納ケース
６ａ  前側溝
６ｂ  背側溝
７  仕切板
７ａ  前縁
７ｂ  後縁
８  箱状トレイ
８ａ  左底部
８ｂ  右底部
８ｃ  外周立上枠部
８ｄ  脚部
９  筒状トレイ
９ａ  円筒壁部
Ｓ  収納空間
【図１】
2013094507.tif 000003
【図２】
2013094507.tif 000004
【図３】
2013094507.tif 000005
【図４】
2013094507.tif 000006
【図５】
2013094507.tif 000007
【図６】
2013094507.tif 000008
【図７】
2013094507.tif 000009
【図８】
2013094507.tif 000010
【図９】
2013094507.tif 000011
【図１０】
2013094507.tif 000012